(57)【特許請求の範囲】
【請求項１】
放射線の曝射又は無曝射の画像データを取得する放射線撮像装置であって、
撮影モードに応じて、前記無曝射の画像データからオフセット補正データを生成する順序又は頻度を設定する設定手段と、
前記順序又は前記頻度に基づいて、前記撮影モードに対応するオフセット補正データを前記画像データから生成する補正データ生成手段と、
前記オフセット補正データを用いて、被検体を撮影して取得された画像データを補正する画像処理手段と、を備え、
前記設定手段は、前記撮影モードの増幅率、画像サイズ、及びフレームレートの少なくとも２つ以上の優先度を決定し、前記優先度に従って前記順序又は前記頻度を設定することを特徴とする放射線撮像装置。
【請求項２】
放射線の曝射又は無曝射の画像データを取得する放射線撮像装置であって、
撮影モードに応じて、前記無曝射の画像データからオフセット補正データを生成する順序又は頻度を設定する設定手段と、
前記順序又は前記頻度に基づいて、前記撮影モードに対応するオフセット補正データを前記画像データから生成する補正データ生成手段と、
前記オフセット補正データを用いて、被検体を撮影して取得された画像データを補正する画像処理手段と、を備え、
前記設定手段は、前記撮影モードの、増幅率が高いほど、画像サイズが小さいほど、又はフレームレートが高いほど、前記順序又は前記頻度を高く設定することを特徴とする放射線撮像装置。
【請求項３】
前記補正データ生成手段は、所定の時間間隔で取得された前記無曝射の画像データから前記オフセット補正データを生成し、
前記時間間隔は可変であることを特徴とする請求項１又は２に記載の放射線撮像装置。
【請求項４】
前記設定手段は、前記オフセット補正データの生成時間が短いほど、前記順序又は前記頻度を高く設定することを特徴とする請求項１乃至３の何れか１項に記載の放射線撮像装置。
【請求項５】
前記オフセット補正データは、当該放射線撮像装置の暖機状態において取得されることを特徴とする請求項１乃至４の何れか１項に記載の放射線撮像装置。
【請求項６】
放射線の曝射又は無曝射の画像データを取得する放射線撮像方法であって、
撮影モードに応じて、前記無曝射の画像データからオフセット補正データを生成する順序又は頻度を設定し、
前記順序又は頻度に基づいて、前記撮影モードに対応するオフセット補正データを前記画像データから生成し、
前記オフセット補正データを用いて、被検体を撮影して取得された画像データを補正し、
前記撮影モードの、増幅率が高いほど、画像サイズが小さいほど、又はフレームレートが高いほど、前記順序又は前記頻度を高く設定することを特徴とする放射線撮像方法。
【請求項７】
請求項１乃至５の何れか１項に記載の放射線撮像装置と、
前記放射線撮像装置に放射線を照射する放射線発生手段と、
前記撮影モードを入力する入力手段と、を備えることを特徴とする放射線撮像システム。
【請求項８】
コンピュータを請求項１乃至５の何れか１項に記載の放射線撮影装置の各手段として機能させるプログラム。
【発明の詳細な説明】
【技術分野】
【０００１】
本発明は、オフセット補正データを取得する放射線撮像装置、放射線撮像システム、及びプログラムに関する。
【背景技術】
【０００２】
被写体を透過した放射線による放射線画像を撮影する撮像装置として、近年では放射線画像を直接且つリアルタイムにデジタル信号に変換する撮像装置が普及している。特に、人体など比較的大きな被写体の内部を観察するために、大面積のフラットパネル式放射線撮像装置(ＦＰＤ)が提案されている。
【０００３】
放射線画像の撮影では、撮影中に蓄積された残留電荷や暗電流電荷又は固定ノイズによるオフセット成分を除去するために、オフセット補正処理が行われる。
【０００４】
一般なオフセット補正処理は、放射線を照射しない状態で取得した画像データ(無曝射画像データ)をオフセット補正データとし、無曝射画像データを放射線画像データから減算することで行われる。
【０００５】
特許文献１では、複数のモードの各補正用画像の取得順序について、ある特定の時間枠内で使用頻度の高いと判断したモードを次の時間枠で優先的に更新し、その動作が継続的に行われる。なお、使用頻度は、使用時間と記録動作の実行回数に基づいて、重みづけ平均により決定される。
【０００６】
また、特許文献２では、撮影時に選択する撮影手技に応じて、更新の順序が変更される。この場合、最終実施時刻から判定時刻までの経過時間を計測して、経過時間が所定の時間を超えると更新を行い、所定の時間内であれば更新しないと判定され、全モードで判定が継続される。
【先行技術文献】
【特許文献】
【０００７】
【特許文献１】米国特許７４１５０９７号公報
【特許文献２】特開２０１３−１１８９８３号公報
【発明の概要】
【発明が解決しようとする課題】
【０００８】
上記のように、放射線撮像装置において、残留電荷や暗電流電荷又は固定ノイズなどによるオフセット成分によって画質が低下するおそれがある。そのため、無曝射画像データをオフセット補正データとして取得し、オフセット補正処理を行う必要がある。
【０００９】
この場合、複数の撮影モードごとにオフセット補正データを取得（又は更新）する必要があり、全ての撮影モードのオフセット補正データを取得（又は更新）すると、被写体の放射線画像の撮影までに時間を要してしまうという問題がある。
【００１０】
本発明は、オフセット補正データの取得可能時間が限られている場合であっても、オフセット補正処理を適切に行うことができる放射線撮像装置を提供することを目的とする。
【課題を解決するための手段】
【００１１】
本発明は、放射線の曝射又は無曝射の画像データを取得する放射線撮像装置であって、
撮影モードに応じて、前記無曝射の画像データからオフセット補正データを生成する順序又は頻度を設定する設定手段と、前記順序又は前記頻度に基づいて、前記撮影モードに対応するオフセット補正データを前記画像データから生成する補正データ生成手段と、前記オフセット補正データを用いて、被検体を撮影して取得された画像データを補正する画像処理手段と、を備え、
前記設定手段は、前記撮影モードの増幅率、画像サイズ、及びフレームレートの少なくとも２つ以上の優先度を決定し、前記優先度に従って前記順序又は前記頻度を設定する。
また、本発明は、放射線の曝射又は無曝射の画像データを取得する放射線撮像装置であって、
撮影モードに応じて、前記無曝射の画像データからオフセット補正データを生成する順序又は頻度を設定する設定手段と、
前記順序又は前記頻度に基づいて、前記撮影モードに対応するオフセット補正データを前記画像データから生成する補正データ生成手段と、
前記オフセット補正データを用いて、被検体を撮影して取得された画像データを補正する画像処理手段と、を備え、
前記設定手段は、前記撮影モードの、増幅率が高いほど、画像サイズが小さいほど、又はフレームレートが高いほど、前記順序又は前記頻度を高く設定する。
【発明の効果】
【００１２】
本発明によれば、撮影条件に基づいてオフセット補正データの生成の順序又は頻度を設定することで、オフセット補正データの取得可能時間が限られている場合であっても、オフセット補正処理を適切に行うことができる。
【図面の簡単な説明】
【００１３】
【図１】本実施形態に係る放射線撮像システムの一例を示す図である。
【図２】放射線撮像装置の構成図の一例を示す図である。
【図３】オフセット補正処理を模式的に示す図である。
【図４】撮影モードごとにオフセット補正データを取得し、更新することを説明する図である。
【図５】撮影モードの撮影条件の一例を示す図である。
【図６】撮影条件の優先度に従ってオフセット補正データを取得し、更新することを説明する図である。
【図７】撮影モードの撮影条件の一例を示す図である。
【発明を実施するための形態】
【００１４】
図面を参照して、本発明の実施形態の一例を詳しく説明する。
図１は、本実施形態に係る放射線撮像システムの一例を示す図である。放射線撮像システムは、例えば、病院内における放射線画像の撮影に使用され、放射線撮像装置１０１、電子計算機（ＰＣ）１０２、院内ＬＡＮ（病院内に配設されたネットワーク）１０３、ＨＵＢ１０４、パワーボックス（ＰＢ）１０５、Ｘ線インターフェースボックス（Ｘ  Ｉ／Ｆ）１０６、放射線発生装置１０７を備える。
【００１５】
放射線撮像装置１０１は、放射線１００が照射された状態（曝射）又は照射されない状態（無曝射）で撮影を行うことにより、放射線１００の曝射又は無曝射の画像データを取得する。電子計算機１０２のディスプレイは、放射線撮像装置１０１で取得された画像データを表示する。また、電子計算機１０２の入力部は、放射線撮像装置１０１の撮影に用いられる撮影モードを入力（指示）する。
【００１６】
パワーボックス１０５は、放射線撮像装置１０１などに電源を供給する。Ｘ線インターフェースボックス１０６は、通信を媒介する回路を保持し、パワーボックス１０５及び放射線発生装置１０７を介して、放射線撮像装置１０１の状態を監視し、放射線１００の照射や撮影動作などを制御する。放射線発生装置１０７は、放射線１００を発生させるために、電子を高電圧で加速して陽極に衝突させるＸ線管とロータを保持し、放射線撮像装置１０１に放射線を照射する。
【００１７】
放射線発生装置１０７から照射された放射線１００は被写体（患者）１０８に照射され、放射線撮像装置１０１が、被写体１０８を透過した放射線１００を検出することにより被写体１０８の放射線画像を生成する。また、放射線撮像装置１０１は、電子計算機１０２の指示により、複数の撮影モードから所定の撮影モードを選択し、その撮影モードの撮影条件で撮影を行う。
【００１８】
図２は、放射線撮像装置１０１の構成図の一例を示す図である。放射線撮像装置１０１は、制御回路１１、電源制御回路１３、アンプＩＣ１４、ドライブＩＣ１５、ＡＤＣ１６、及びメモリ１７を備える。制御回路１１は、補正処理部（画像処理部）１８及び補正データ生成部１９を備える。補正データ生成部１９は、設定部１９０を備える。
【００１９】
放射線撮像装置１０１の蛍光体が、放射線発生装置１０７から照射された放射線１００を吸収し、放射線エネルギーを光に変換する。放射線撮像装置１０１の光電変換素子が、光を電気エネルギーに変換し、電気的に蓄積する。
【００２０】
ドライブＩＣ１５が光電変換素子アレイの行を選択し、スイッチング機能を有するＴＦＴが順次ＯＮとＯＦＦを切り替えることで、光電変換素子に蓄積された電荷が読み出される。なお、薄型トランジスタであるＴＦＴは、ガラス基板上にアモルファスシリコンなどで構成される。読み出された電荷は、アンプＩＣ１４により増幅され、増幅されたアナログデータは、ＡＤＣ１６によりデジタルデータに変換される。
【００２１】
制御回路１１は、ＡＤＣ１６から出力されたデジタルデータに各種処理を施す。制御回路１１は、パワーボックス１０５を介して、電子計算機１０２及びＸ線インターフェースボックス１０６との通信を行う。また、電源制御回路１３は、パワーボックス１０５からの電源の供給を行う。
【００２２】
補正処理部（画像処理部）１８は、オフセット成分を除去するオフセット補正処理を行う。補正処理部（画像処理部）１８は、オフセット補正データを用いて、被検体を撮影して取得された画像データを補正する。補正データ生成部１９は、複数の撮影モードのそれぞれに対応するオフセット補正データを生成する。この場合、設定部１９０は、所定の撮影モードに応じてオフセット補正データを生成する順序又は頻度を設定し、補正データ生成部１９は、設定部１９０により設定された順序又は頻度に基づいて撮影モードに対応するオフセット補正データを画像データ（例えば、無曝射画像データ）から生成する。
【００２３】
生成されたオフセット補正データはメモリ１７に保存され、補正処理部１８でオフセット補正処理が施される際に、撮影モードに対応するオフセット補正データが読み出される。
【００２４】
図３は、オフセット補正処理を模式的に示す図である。放射線１００が照射されて被写体１０８を透過し、放射線撮像装置１０１の放射線検出器で検出されることにより、被写体１０８の放射線画像１０９が取得される。オフセット補正処理が施される前の放射線画像１０９は、被写体１０８の画像成分とオフセット成分（ノイズ成分）とを含む。また、放射線１００を照射しない状態（無曝射）で撮影を行うことにより、放射線１００の無曝射の画像データからオフセット補正データ１１０が取得される。オフセット補正データ１１０は、被写体１０８の画像成分を含まずに、ノイズ成分を含む。
【００２５】
なお、オフセット補正データ１１０は、撮影モードごとに生成される。また、オフセット補正データ１１０は、同一の撮影モードで撮影された無曝射の複数の画像データを平均したものである。補正データ生成部１９は、無曝射の複数の画像データを平均することにより、１つのオフセット補正データ１１０を生成し、撮影モードごとに１つずつオフセット補正データを生成する。補正データ生成部１９は、それぞれの撮影モードに対応するオフセット補正データを、所定の順序又は頻度で更新する。
【００２６】
補正処理部１８は、オフセット補正データ１１０を用いて、被検体１０８を撮影して取得された放射線画像（画像データ）１０９を補正する。具体的には、補正処理部１８は、放射線画像１０９からオフセット補正データ１１０を減算することで、オフセット補正処理を行う。これにより、放射線画像１０９からオフセット成分（ノイズ成分）が除去された被写体１０８の放射線画像１１１が取得される。
【００２７】
図４は、撮影モードごとにオフセット補正データを取得し、更新することを説明する図である。放射線１００の曝射による放射線画像の撮影時には、無曝射の画像データを取得することができないため、放射線１００を曝射する時間帯を除く時間帯において、補正データ生成部１９は、無曝射の画像データを所定の時間間隔Ａ［ｓ］で取得する。この場合、放射線撮像装置１０１の暖機状態（起動状態）、暖機完了状態、及び温度変動状態などにかかわらず、無曝射の画像データが取得される。
【００２８】
図４（ａ）において、Ｘは放射線の曝射状態を表し、起動、状態Ａ、及び状態Ｂは、暖機状態（起動状態）、暖機完了状態、及び温度変動状態などの放射線撮像装置１０１の状態を表す。図４（ａ）では、放射線の曝射状態Ｘ以外の状態において、無曝射の画像データが所定の時間間隔Ａ［ｓ］で取得される。
【００２９】
補正データ生成部１９は、同一の撮影モードにより時間間隔Ａ［ｓ］で取得された複数の画像データ（無曝射画像データ）を平均することにより、１つのオフセット補正データ１１０を生成する。補正データ生成部１９は、それぞれの撮影モードに対応するオフセット補正データを、所定の順序又は頻度で更新する。
【００３０】
図４（ｂ）では、放射線撮像装置１０１は、９つの撮影モードを有する。設定部１９０は、撮影モードの撮影条件に基づいて、オフセット補正データを生成する順序を、撮影モード８、撮影モード５、撮影モード９、撮影モード２、撮影モード４、撮影モード６、撮影モード１、撮影モード７、及び撮影モード３の順に設定する。そして、補正データ生成部１９は、設定された順序に基づいて、撮影モード１〜９に対応するオフセット補正データ１１０−１〜１１０−９を画像データから生成する。
【００３１】
例えば、補正データ生成部１９は、撮影モード８により時間間隔Ａ［ｓ］で複数の画像データ（無曝射画像データ）を取得して平均することで、オフセット補正データ１１０−８を生成する。そして、補正データ生成部１９は、設定された順序に基づいて、撮影モード３に対応するオフセット補正データ１１０−３を取得した後、撮影モード８に対応するオフセット補正データ１１０−８を再度生成し、オフセット補正データ１１０−８を更新する。このように、補正データ生成部１９は、設定された順序に基づいて、オフセット補正データ１１０−１〜１１０−９の取得（又は更新）を繰り返す。
【００３２】
放射線撮像装置１０１が複数の撮影モードを有する場合、放射線撮像装置１０１は、何れの撮影モードが選択されても対応できるように、全ての撮影モードに対応するオフセット補正データ１１０を取得するまでの待機時間を要することがある。また、放射線撮像装置１０１は、放射線を連続的に照射して撮影する場合、無曝射の画像データの取得可能時間が限定されるので、オフセット補正データ１１０を更新するまでの時間を要することがある。
【００３３】
本実施形態では、設定部１９０が、オフセット補正データ１１０の取得（又は更新）の順序及び頻度の少なくとも１つを設定する。そして、補正データ生成部１９は、必要性が高いオフセット補正データ１１０を優先的に取得（又は更新）することで、オフセット補正データ１１０の取得可能時間が限定されている場合であっても、オフセット補正処理を適切に行うことができる。
【００３４】
この結果、オフセット補正データが取得（又は更新）されるまでの待機時間を解消することができ、被写体の放射線画像を速やかに撮影することができる。例えば、緊急時において、放射線撮像装置１０１の起動から被写体１０８の放射線画像１０９の撮影までの待機時間を解消することができる。
【００３５】
設定部１９０は、撮影モードの出力ゲイン（増幅率）、画像サイズ、及びフレームレートの少なくとも１つに基づいて、順序及び頻度の少なくとも１つを設定し、必要性が高いオフセット補正データ１１０を優先的に取得（又は更新）する。必要性が高いオフセット補正データは、例えば、経時変化によって画像にアーチファクトが出やすい撮影モードに対応するオフセット補正データである。
【００３６】
一般に、出力ゲイン（電荷の増幅率）が高い撮影モードにより撮影される画像が、環境要因によって変動しやすく、アーチファクトが発生しやすい。したがって、設定部１９０は、出力ゲイン（増幅率）が高いほど、順序及び頻度の少なくとも１つを高く設定する。この他、設定部１９０は、画像サイズが小さいほど又はフレームレートが高いほど、順序及び頻度の少なくとも１つを高く設定する。
【００３７】
図５は、撮影モード１〜９の撮影条件の一例を示す図である。図５では、撮影条件として、画像サイズ、フレームレート、及び出力ゲイン（増幅率）が設定されている。
【００３８】
画像サイズは、放射線撮像装置１０１により取得される曝射又は無曝射の画像又は動画（例えば、被写体１０８の放射線画像）のサイズである。フレームレートは、動画などにおいて単位時間あたりに取得されるフレーム数であり、１秒あたりのフレーム数［ｆｐｓ］を単位として表されている。フレームレートの数値が大きいほど、時間間隔Ａ［ｓ］が短くなり、オフセット補正データの取得スピードが速くなり、更新時間が短くなる。出力ゲインは、放射線撮像装置１０１の放射線検出器で発生した電荷の増幅率であり、撮影モード３を基準としたときの各撮影モードの増幅率の比で表されている。
【００３９】
図５では、取得（更新）順序の項目が設けられ、オフセット補正データの取得（更新）順序が示されている。この場合、出力ゲインが高いほど、つまりアーチファクトが出やすいほど、取得（更新）順序が高く設定されている。この結果、放射線画像の画質を向上させることができる。
【００４０】
また、補正データ生成部１９は、所定の時間間隔Ａ［ｓ］で取得された無曝射の画像データからオフセット補正データ１１０を生成し、時間間隔Ａ［ｓ］は可変である。時間間隔Ａ［ｓ］が短くなると、更新時間が短くなる。時間間隔Ａ［ｓ］が長くなると、放射線１００を曝射する時間帯を回避して、無曝射の画像データを取得できる可能性が高まる。実際の医用現場における放射線撮像装置の運用を鑑みると、ユーザが時間間隔Ａ［ｓ］を可変に設定することがユーザに使いやすい運用である。
【００４１】
補正処理部１８は、被写体１０８の放射線画像１０９と同一の撮影モードのオフセット補正データ１１０をメモリ１７から読み出し、放射線画像１０９からオフセット補正データ１１０を減算することで、オフセット補正処理を行う。これにより、放射線画像１０９からオフセット成分（ノイズ成分）が除去された被写体１０８の放射線画像１１１が取得され、電子計算機１０２のディスプレイなどに表示され、診断などに使用される。
【００４２】
このように、必要性が高いオフセット補正データ１１０を優先的に取得（又は更新）することで、オフセット補正データ１１０の取得可能時間が限られている場合であっても、オフセット補正処理を適切に行うことができる。
【００４３】
以上、本発明にかかる実施形態について説明したが、本発明はこれらに限定されるものではなく、請求項に記載された範囲内において変更・変形することが可能である。
【００４４】
図６は、撮影条件の優先度に従ってオフセット補正データを取得し、更新することを説明する図である。設定部１９０は、撮影モードの出力ゲイン（増幅率）、画像サイズ、及びフレームレートの少なくとも２つ以上の優先度を決定し、優先度に従って順序及び頻度の少なくとも１つを設定する。
【００４５】
図７は、撮影モード１〜９の撮影条件の一例を示す図である。図７では、設定部１９０は、出力ゲインとフレームレートのうち出力ゲインの優先度を高く設定し、出力ゲインとフレームレートに基づいてオフセット補正データ１１０の取得（更新）順序を設定する。この場合、出力ゲインが高いほど取得（更新）順序が高く設定され、出力ゲインが同値である場合は、フレームレートが高いほど取得（更新）順序が高く設定される。
【００４６】
また、設定部１９０は、オフセット補正データ１１０の生成時間が短いほど、オフセット補正データ１１０を生成する順序及び頻度の少なくとも１つを高く設定してもよい。一般的に、画像サイズが小さいほど又はフレームレートが高いほど、オフセット補正データ１１０の生成時間が短くなる。この場合も、出力ゲインが高いほど取得（更新）順序が高く設定され、出力ゲインが同値である場合は、オフセット補正データ１１０の生成時間が短いほど取得（更新）順序が高く設定されてもよい。
【００４７】
生成時間が短いオフセット補正データ１１０を優先的に取得（又は更新）することで、所定の時間内に取得可能なオフセット補正データ１１０の数を増加させることができる。この結果、オフセット補正データ１１０の取得可能時間が限られている場合であっても、オフセット補正処理を適切に行うことができる。
【００４８】
図７では、撮影モード１，２及び撮影モード８，９はそれぞれの出力ゲインが同値である。この場合、フレームレートが高いほどオフセット補正データ１１０の生成時間が短くなる。よって、撮影モード１，２では撮影モード２の順位が高く設定され、撮影モード８，９では撮影モード８の順位が高く設定される。また、画像サイズが小さいほどその画像を読み込む時間が短くなるため、オフセット補正データ１１０の生成時間が短くなる。よって、出力ゲイン及びフレームレートが同値である場合は、画像サイズが小さいほどオフセット補正データ１１０の取得（更新）順序が高く設定されてもよい。
【００４９】
このように、補正データ生成部１９は、撮影条件のうち画質に悪影響を与える要因及びオフセット補正データ１１０の生成時間を短縮する要因に基づいて、必要性が高いオフセット補正データ１１０を優先的に取得（又は更新）する。この結果、オフセット補正データ１１０の取得可能時間が限られている場合であっても、オフセット補正処理を適切に行うことができる。特に、オフセット補正データ１１０の生成時間を短縮する要因に基づいて、必要性が高いオフセット補正データ１１０を優先的に取得（又は更新）することで、所定の時間内により多くの撮影モードの撮影準備を完了させることができる。
【００５０】
なお、設定部１９０は、画質に悪影響を与える要因（例えば、出力ゲイン）の代わりに、オフセット補正データ１１０の生成時間を短縮する要因（例えば、フレームレートや画像サイズなど）の優先度をその他の優先度よりも高く設定してもよい。また、設定部１９０は、画質に悪影響を与える要因の優先度とオフセット補正データ１１０の生成時間を短縮する要因の優先度とを切り替えてもよい。
【００５１】
また、設定部１９０は、撮影条件のうち画質に悪影響を与える要因及びオフセット補正データ１１０の生成時間を短縮する要因の少なくとも１つに基づいて、オフセット補正データ１１０の取得（又は更新）の頻度を設定してもよい。例えば、補正データ生成部１９は、出力ゲインが所定の閾値より高い場合、所定の時間内にオフセット補正データ１１０を２回取得（又は更新）し、出力ゲインが所定の閾値より低い場合、所定の時間内にオフセット補正データ１１０を１回取得（又は更新）する。そして、補正データ生成部１９は、設定された頻度に基づいて、オフセット補正データ１１０の更新を繰り返す。
【００５２】
また、補正データ生成部１９は、撮影条件のうち画質に悪影響を与える要因に基づく順序及び頻度の少なくとも１つに従って、オフセット補正データ１１０を取得（又は更新）した後に、オフセット補正データ１１０の生成時間を短縮する要因に基づく順序及び頻度の少なくとも１つに従って、オフセット補正データ１１０を取得（又は更新）してもよい。
【００５３】
例えば、補正データ生成部１９は、出力ゲインに基づく順序に従って、オフセット補正データ１１０の取得（又は更新）した後、フレームレートに基づく順序に従って、オフセット補正データ１１０を取得（又は更新）する。そして、補正データ生成部１９は、出力ゲインに基づく順序とフレームレートに基づく順序とを交互に切り替える。
【００５４】
また、撮影条件（例えば、画像サイズ）が予め特定されている場合、設定部１９０は、特定された撮影条件の撮影モードに対応するオフセット補正データ１１０の取得（又は更新）の順序及び頻度の少なくとも１つを設定してもよい。
【００５５】
例えば、図５の撮影条件において、画像サイズ「４３×４３」が予め特定されている場合、撮影モード番号１〜３に対応するオフセット補正データ１１０の取得（又は更新）の順序が出力ゲインに基づいて設定される。このように、設定部１９０は、限定された撮影条件の範囲内でオフセット補正データ１１０の取得（又は更新）の順序及び頻度の少なくとも１つを設定してもよい。
【００５６】
また、オフセット補正データ１１０の取得（又は更新）の順序及び頻度の少なくとも１つを設定するための撮影条件を選択する入力信号に従って、補正データ生成部１９は、１つ又は複数の撮影条件を選択してもよいし、これらの撮影条件を切り替えてもよい。
【００５７】
また、本発明は、上記の実施形態の機能を実現するソフトウェア（プログラム）を、ネットワーク又は各種記憶媒体を介してシステム又は装置に供給し、システム又は装置のコンピュータ（ＣＰＵやＭＰＵなど）がプログラムを読み出すことにより実行されてもよい。
【符号の説明】
【００５８】
１１  制御回路
１３  電源制御回路
１４  アンプＩＣ
１５  ドライブＩＣ
１６  ＡＤＣ
１７  メモリ
１８  補正処理部
１９  補正データ生成部
１０１  放射線撮像装置
１０２  電子計算機
１０４  ＨＵＢ
１０５  パワーボックス
１０６  Ｘ線インターフェースボックス
１０７  放射線発生装置
１９０  設定部
【図１】
0006577762.tif 000002
【図２】
0006577762.tif 000003
【図３】
0006577762.tif 000004
【図４】
0006577762.tif 000005
【図５】
0006577762.tif 000006
【図６】
0006577762.tif 000007
【図７】
0006577762.tif 000008